(57)【要約】【課題】複数個の支柱体を設置面上に互いに離間して立設し、横桟杆を隣り合う支柱体間に架設し、横桟杆に吊布体を吊下することにより室内空間を複数に区画するパーティションを形成することができる。【解決手段】設置面Ｗ上に互いに離間して立設される複数個の支柱体１と、隣り合う支柱体間に着脱自在に架設可能な横桟杆２と、横桟杆に吊下可能な吊布体３とからなり、複数個の支柱体は、支柱体の上端部に横桟杆の端部２ａを挿入可能な挿入穴部１ｄ及び横桟杆に嵌合係止可能な切欠部１ｅを設けてなる端用支柱体Ｈと、支柱体の上端部に横桟杆の端部を挿入可能な挿入穴部及び横桟杆に嵌合係止可能な切欠部を設けると共に支柱体の上側部に支柱体の上端部より低位置にして横桟杆の端部を挿入可能な穴部５ａをもつ挿入部５を設けてなる間用支柱体Ｍとからなる。【選択図】図１
0003131115.tif 000002
【実用新案登録請求の範囲】
【請求項１】
設置面上に互いに離間して立設される複数個の支柱体と、該隣り合う支柱体間に着脱自在に架設可能な横桟杆と、該横桟杆に吊下可能な吊布体とからなり、上記複数個の支柱体は、該支柱体の上端部に横桟杆の端部を挿入可能な挿入穴部及び該横桟杆に嵌合係止可能な切欠部を設けてなる端用支柱体と、該支柱体の上端部に横桟杆の端部を挿入可能な挿入穴部及び該横桟杆に嵌合係止可能な切欠部を設けると共に該支柱体の上側部に該支柱体の上端部より低位置にして該横桟杆の端部を挿入可能な穴部をもつ挿入部を設けてなる間用支柱体とからなることを特徴とするパーティション。
【請求項２】
上記支柱体の下端部に台座体を着脱自在に設けてなることを特徴とする請求項１記載のパーティション。
【請求項３】
上記支柱体及び挿入部はパイプ穴を上記挿入穴部及び穴部とするパイプ材により形成されていることを特徴とする請求項１又は２記載のパーティション。
【考案の詳細な説明】
【技術分野】
【０００１】
本考案は例えば和室空間、洋間空間、オフィス空間等の室内空間を複数に区画する際に用いられるパーティションに関するものである。
【背景技術】
【０００２】
従来、この種のパーティションとして、例えば、矩形状枠体にパネル板を取り付けてなる矩形状壁体を脚体により床面や畳面等の設置面上に立設する構造のものものが知られている。
【特許文献１】特開２００６−３１６４９９号公報
【考案の開示】
【考案が解決しようとする課題】
【０００３】
しかしながら上記従来構造の場合、という不都合を有している。
【課題を解決するための手段】
【０００４】
本考案はこれらの不都合を解決することを目的とするもので、本考案のうちで、請求項１記載の考案は、設置面上に互いに離間して立設される複数個の支柱体と、該隣り合う支柱体間に着脱自在に架設可能な横桟杆と、該横桟杆に吊下可能な吊布体とからなり、上記複数個の支柱体は、該支柱体の上端部に横桟杆の端部を挿入可能な挿入穴部及び該横桟杆に嵌合係止可能な切欠部を設けてなる端用支柱体と、該支柱体の上端部に横桟杆の端部を挿入可能な挿入穴部及び該横桟杆に嵌合係止可能な切欠部を設けると共に該支柱体の上側部に該支柱体の上端部より低位置にして該横桟杆の端部を挿入可能な穴部をもつ挿入部を設けてなる間用支柱体とからなることを特徴とするパーティションにある。
【０００５】
又、請求項２記載の考案は、上記支柱体の下端部に台座体を着脱自在に設けてなることを特徴とするものであり、又、請求項３記載の考案は、上記支柱体及び挿入部はパイプ穴を上記挿入穴部及び穴部とするパイプ材により形成されていることを特徴とするものである。
【考案の効果】
【０００６】
本考案は上述の如く、請求項１記載の考案にあっては、複数個の支柱体を設置面上に互いに離間して立設し、横桟杆を隣り合う支柱体間に架設し、横桟杆に吊布体を吊下することにより室内空間を複数に区画するパーティションを形成することができ、この際、上記複数個の支柱体は、支柱体の上端部に横桟杆の端部を挿入可能な挿入穴部及び横桟杆に嵌合係止可能な切欠部を設けてなる端用支柱体と、支柱体の上端部に横桟杆の端部を挿入可能な挿入穴部及び横桟杆に嵌合係止可能な切欠部を設けると共に支柱体の上側部に支柱体の上端部より低位置にして横桟杆の端部を挿入可能な穴部をもつ挿入部を設けてなる間用支柱体とにより構成されているから、上記端用支柱体の支柱体と間用支柱体の支柱体の各挿通穴部に挿通して架設された横桟杆はそれぞれの切欠部に嵌合係止して各支柱体に対して旋回不能となり、このため、この対向する支柱体と横桟杆とからなる構造体の安定性を高めることができ、かつ、間用支柱体の挿入部の穴部と端用支柱体の支柱体の挿通穴部に挿通して架設された横桟杆にあっては、間用支柱体の挿入部の穴部と横桟杆との間で旋回自在となると共に端用支柱体の支柱体と横桟杆との間では切欠部の嵌合係止により旋回不能となり、この間用支柱体の挿入部と横桟杆との間が旋回自在であることにより、隣り合う両横桟杆の相対的な開閉角度を容易に変更することができ、使用の融通性を高めることができると共に端用支柱体の支柱体と横桟杆との間では旋回不能であることにより対向する支柱体と横桟杆とからなる構造体の安定性を高めることができ、パーティション全体を設置面に安定して立設することができ、さらに、保管時、運搬時等の不使用時には複数個の支柱体と横桟杆とを分離することができ、それだけ、使用の融通性を高めることができる。
【０００７】
又、請求項２記載の考案にあっては、上記支柱体の下端部に台座体を着脱自在に設けてなるから、支柱体の起立の安定化を図ることができると共に不使用時には支柱体から台座体を分離することができ、使用の融通性を高めることができ、又、請求項３記載の考案にあっては、上記支柱体及び挿入部はパイプを上記挿入穴部及び穴部とするパイプ材により形成されているから、構造の簡素化を図ることができると共に製作を容易に行うことができる。
【考案を実施するための最良の形態】
【０００８】
図１乃至図１０は本考案の実施の形態例を示し、図１乃至図８は第一形態例、図９、図１０は第四形態例である。
【０００９】
図１乃至図８の実施の第一形態例において、１・１・１は支柱体であって、この場合、パイプ材Ｐからなる柱体１ａ及び中心に柱体１ａのパイプ穴Ｐ1に挿通可能な杆体１ｂを立設してなる台座体１ｃにより形成され、この杆体１ｂを柱体１ａのパイプ穴Ｐ1に挿脱することにより着脱自在に設けてなり、複数個、この場合、３個の支柱体１・１・１を区画条件に応じて床面等の設置面Ｗ上に互いに離間して立設するように構成している。
【００１０】
２は横桟杆であって、上記隣り合う隣り合う支柱体１・１・１間に架設され、両端部２ａをＬ状に形成している。
【００１１】
３は吊布体であって、上記横桟体２に吊下され、例えば、室内の様相に応じて、各種のデザインを施した織布等の布が用いられ、この場合、上縁部に横桟体２を挿通可能な筒部３ａが縫成され、下縁部に振れ止め用の重錘杆４を挿通可能な筒部３ｂが縫成されている。
【００１２】
この場合、上記複数個の支柱体１・１・１は、支柱体１の上端部に横桟杆２の端部２ａを挿入可能な、この場合、パイプ材Ｐのパイプ穴Ｐ1である挿入穴部１ｄ及び横桟杆２に嵌合係止可能なＵ状の切欠部１ｅを設けてなる二個の端用支柱体Ｈと、支柱体１の上端部に横桟杆２の端部２ａを挿入可能な、この場合、パイプ材Ｐのパイプ穴Ｐ1である挿入穴部１ｄ及び横桟杆２に嵌合係止可能なＵ状の切欠部１ｅを設けると共にこの支柱体１の上側部に支柱体１の上端部より低位置にして横桟杆２の端部を挿入可能な穴部５ａをもつ挿入部５を設けてなる間用支柱体Ｍとからなる。
【００１３】
この場合、上記隣り合う横桟杆２・２の上縁部が互いに略同一高さになるように切欠部１ｅの深さ形状並びに支柱体１の上端部に対する挿入部５の上端面の高さ位置を設定している。
【００１４】
この場合、上記挿入部５はパイプ穴Ｐ1を上記穴部５ａとするパイプ材Ｐにより形成されている。
【００１５】
この実施の第一形態例は上記構成であるから、図５、図６の如く、支柱体１・１・１を設置面Ｗ上に互いに離間して立設し、横桟杆２・２を隣り合う支柱体１・１間に架設し、横桟杆２・２に吊布体３を吊下することにより室内空間を複数に区画するパーティションを形成することができ、この際、上記複数個の支柱体１・１・１は、支柱体１の上端部に横桟杆２の端部２ａを挿入可能な挿入穴部１ｄ及び横桟杆２に嵌合係止可能な切欠部１ｅを設けてなる端用支柱体Ｈ・Ｈと、支柱体１の上端部に横桟杆２の端部２ａを挿入可能な挿入穴部１ｄ及び横桟杆２に嵌合係止可能な切欠部１ｅを設けると共に支柱体１の上側部に支柱体１の上端部より低位置にして横桟杆２の端部２ａを挿入可能な穴部５ａをもつ挿入部５を設けてなる間用支柱体Ｍとにより構成されているから、上記端用支柱体Ｈの支柱体１と間用支柱体Ｍの支柱体１の各挿通穴部１ｄに挿通して架設された横桟杆２はそれぞれの切欠部１ｅに嵌合係止して各支柱体１・１に対して旋回不能となり、このため、この対向する支柱体１・１と横桟杆とからなる構造体の安定性を高めることができ、かつ、間用支柱体Ｍの挿入部５の穴部５ａと端用支柱体Ｈの支柱体１の挿通穴部１ｄに挿通して架設された横桟杆２にあっては、間用支柱体Ｍの挿入部５の穴部５ａと横桟杆２との間で旋回自在となると共に端用支柱体Ｈの支柱体１と横桟杆２との間では切欠部１ｅの嵌合係止により旋回不能となり、この間用支柱体Ｍの挿入部５と横桟杆２との間が旋回自在であることにより、隣り合う両横桟杆２・２の相対的な開閉角度を容易に変更することができ、使用の融通性を高めることができると共に端用支柱体Ｈの支柱体１と横桟杆２との間では旋回不能であることにより対向する支柱体１・１と横桟杆とからなる構造体の安定性を高めることができ、パーティション全体を設置面に安定して立設することができ、さらに、保管時、運搬時等の不使用時には複数個の支柱体１・１・１と横桟杆２・２とを分離することができ、それだけ、使用の融通性を高めることができる。
【００１６】
又、この場合、上記支柱体１の下端部に台座体１ｃを着脱自在に設けてなるから、支柱体１の起立の安定化を図ることができると共に不使用時には支柱体１から台座体１ｃを分離することができ、使用の融通性を高めることができ、又、この場合、上記支柱体１及び挿入部５はパイプ穴Ｐ1を上記挿入穴部１ｄ及び穴部５ａとするパイプ材Ｐにより形成されているから、構造の簡素化を図ることができると共に製作を容易に行うことができる。
【００１７】
図９、図１０の第二形態例は別例構造を示し、この場合、二個の端用支柱体Ｈ及び二個の間用支柱体Ｍからなる計４個の支柱体１・１・１・１が用いられている。
【００１８】
即ち、これら二個の端用支柱体Ｈ・Ｈ及び二個の間用支柱体Ｍからなる支柱体１・１・１・１を設置面Ｗ上に互いに離間して立設し、端用支柱体Ｈの支柱体１の挿入穴部１ｄと間用支柱体Ｍの挿入部５の穴部５ａとの間、間用支柱体Ｍの支柱体１の挿入穴部１ｄと隣り合う間用支柱体Ｍの支柱体１の挿入穴部１ｄとの間及び間用支柱体Ｍの挿入部５の穴部５ａと端用支柱体Ｈの支柱体１の挿入穴部１ｄとの間にそれぞれ計三個の横桟杆２・２・２を架設し、この横桟杆２・２・２にそれぞれ吊布体３を吊下することにより室内空間を複数に区画するパーティションを形成することになる。
【００１９】
この実施の第二形態例にあっても、上記第一形態例と同様な作用効果を得ることができる。
【００２０】
尚、本考案は上記実施の形態例に限られるものではなく、例えば、端用支柱体Ｈ及び間用支柱体Ｍの数やそれらの支柱体１の長さや大きさ、数、横桟杆２の長さや上記ストレート状の横桟杆２をアーチ状、曲線状等に形成したり、円盤状の台座体１ｃを四角状、楕円状に形成したり、柱体１ａと台座体１ｃを一体に形成したり、吊布体３の素材や使用枚数、デザイン等は適宜変更して設計されるものである。
【００２１】
以上、所期の目的を充分達成することができる。
【図面の簡単な説明】
【００２２】
【図１】本考案の実施の第一形態例の分離斜視図である。
【図２】本考案の実施の第一形態例の端用支柱体と横桟体との分離斜視図である。
【図３】本考案の実施の第一形態例の間用支柱体と横桟体との分離斜視図である。
【図４】本考案の実施の第一形態例の支柱体と台座体との分離斜視図である。
【図５】本考案の実施の第一形態例の使用状態の斜視図である。
【図６】本考案の実施の第一形態例の使用状態の平面図である。
【図７】本考案の実施の第一形態例の部分拡大平面図である。
【図８】本考案の実施の第一形態例の部分断面図である。
【図９】本考案の実施の第二形態例の全体斜視図である。
【図１０】本考案の実施の第二形態例の全体平面図である。
【符号の説明】
【００２３】
Ｐ    パイプ材
Ｐ1    パイプ穴
Ｍ    間用支柱体
Ｈ    端用支柱体
１    支柱体
１ｄ    挿入穴部
１ｅ    切欠部
２    横桟杆
３    吊布体
５    挿入部
５ａ    穴部
【図１】
0003131115.tif 000003
【図２】
0003131115.tif 000004
【図３】
0003131115.tif 000005
【図４】
0003131115.tif 000006
【図５】
0003131115.tif 000007
【図６】
0003131115.tif 000008
【図７】
0003131115.tif 000009
【図８】
0003131115.tif 000010
【図９】
0003131115.tif 000011
【図１０】
0003131115.tif 000012